(57)【要約】【課題】使用中におけるカードの常時読み取りを可能としつつ、カードの脱落や排出原稿との接触を抑制することができる自動原稿搬送装置を提供すること。【解決手段】画像読取部の上面に開閉可能に設置し、画像読取部に向けて原稿Ｓを搬送する原稿搬送部５２と、画像読取部で画像を読み取った後の原稿Ｓを排出する排出トレイ部５３と、を備えた自動原稿搬送装置５であって、排出トレイ部５３の裏面に設置したカード読取装置６２と、排出トレイ部５３を挟んでカード読取装置６２と対向する原稿集積面側であって画像読み取り後の原稿Ｓの排紙方向上流側に開口するカード挿入用スリット６３と、カード挿入用スリット６３よりも下方に配置してカード挿入用スリット６３に少なくともＩＣカード６４の一部を挿入可能とするカード読取面６５と、を有する。【選択図】図２
2015115798.tif 000002
【特許請求の範囲】
【請求項１】
画像読取部の上面に開閉可能に設置し、前記画像読取部に向けて原稿を搬送する搬送部と、前記画像読取部で画像を読み取った後の原稿を排出する排出トレイ部と、を備えた自動原稿搬送装置であって、
前記排出トレイ部の裏面に設置したカード読取装置と、
前記排出トレイ部を挟んで前記カード読取装置と対向する原稿集積面側であって画像読み取り後の原稿の排紙方向上流側に開口するカード挿入用スリットと、
前記カード挿入用スリットよりも下方に配置して前記カード挿入用スリットに少なくともカードの一部を挿入可能とするカード読取面と、を有する
ことを特徴とする自動原稿搬送装置。
【請求項２】
前記カード挿入用スリットの一部に、カード厚さ方向の開口高さがカード挿入用スリットにカードを挿入する前の状態においてカードの厚さ以下とする弾性抵抗部を有する
ことを特徴とする請求項１に記載の自動原稿搬送装置。
【請求項３】
請求項１又は請求項２に記載の自動原稿搬送装置を有する
ことを特徴とする画像形成装置。
【発明の詳細な説明】
【技術分野】
【０００１】
本発明は、カードによって利用を可能とした自動原稿搬送装置及び画像形成装置に関する。
【背景技術】
【０００２】
従来、この種の自動原稿搬送装置としては、複合機に搭載されたカード読取装置によって読取可能なＩＣカードが使用されることがある。このＩＣカードには、使用者（所有者）の識別情報等が記録されており、使用者が提示するＩＣカードをカード読取装置で読み取るようにしている。
【０００３】
その読み取ったＩＣカードの識別情報は、使用者の認証用データとして用いられるとともに、認証結果に応じて自動原稿搬送装置の使用許可や拒否（利用制限を含む）、利用日時や利用内容等の管理データとして用いることができる（例えば、特許文献１参照）。なお、このようなカードとしては、ＩＣカードに限らず、使用者が提示するプリペイドカード等から残金を読み取り、複写サービスなどの課金徴収とする場合に用いるものもある。
【０００４】
一方、このようなＩＣカード等の読取装置（カードリーダライタ）は、ＩＣカードと非接触で接続可能となるように、自動原稿搬送装置の原稿排出台に近接して配置されていた。このため、ＩＣカードは原稿排出台の上面にかざすことで読み取り及び書き込みを可能としている。
【０００５】
しかしながら、近年では、セキュリティの関係から、例えば、使用者が原稿の読み取り作業中の間は常にＩＣカードを読み取っている環境にないと自動原稿搬送装置や画像の読み取りができないようになっているものがある。
【０００６】
すなわち、ＩＣカードの貸与等やプリペイドカードの盗難等による意図しない利用を抑制することを考慮すると、ＩＣカード等は使用中において常に読み取り可能な状態にあるのが望ましい。特に、プリペイドカードにあっては、途中での中止や割込みなどを考慮すると、先に利用枚数分だけ課金することもできないことから、利用枚数毎に課金を行うのが一般的であるため、使用中において常に読み取り可能な状態にある必要が生じる。
【発明の概要】
【発明が解決しようとする課題】
【０００７】
しかしながら、このような従来の自動原稿搬送装置によるカード読み取り方式では、ＩＣカード等を常時読み取り可能な状態とするためには、原稿排出台に置いておく必要がある。
【０００８】
したがって、例えば、冊子タイプのカタログや観音開き方式のパンフレット等の画像を読み取る場合、自動原稿搬送装置を持ち上げてプラテンガラスに直接原稿を載置する必要がある。
【０００９】
この際、ＩＣカード等が原稿排出台に置いてあると、脱落してカードの読み取りができなくなってしまい、画像の読み取りも不可となってしまうばかりでなく、紛失等の虞があった。
【００１０】
しかも、原稿排出台は、排出された読み取り後の原稿を集積する必要があることから、排出した原稿によってＩＣカード等が引っ掛かり、原稿ジャムやカードが跳ねられたりする虞がある。このような場合に、カード読取装置からＩＣカード等がズレてしまうと、原稿の読み取り作業が中断されてしまうという懸念もあった。
【００１１】
本発明は、上述したような課題を解決するためになされたもので、使用中におけるカードの常時読み取りを可能としつつ、カードの脱落や排出原稿との接触を抑制することができる自動原稿搬送装置を提供することを目的とする。
【課題を解決するための手段】
【００１２】
上述した課題を解決し、目的を達成するために、本発明の自動原稿搬送装置は、画像読取部の上面に開閉可能に設置し、前記画像読取部に向けて原稿を搬送する搬送部と、前記画像読取部で画像を読み取った後の原稿を排出する排出トレイ部と、を備えた自動原稿搬送装置であって、前記排出トレイ部の裏面に設置したカード読取装置と、前記排出トレイ部を挟んで前記カード読取装置と対向する原稿集積面側であって画像読み取り後の原稿の排紙方向上流側に開口するカード挿入用スリットと、前記カード挿入用スリットよりも下方に配置して前記カード挿入用スリットに少なくともカードの一部を挿入可能とするカード読取面と、を有する構成を有している。
【発明の効果】
【００１３】
本発明は、使用中におけるカードの常時読み取りを可能としつつ、カードの脱落や排出原稿との接触を抑制することができる自動原稿搬送装置及び画像形成装置を提供することができる。
【図面の簡単な説明】
【００１４】
【図１】本発明の実施の形態に係る自動原稿搬送装置を搭載した画像形成装置の説明図である。
【図２】本発明の実施の形態に係る自動原稿搬送装置を示し、（Ａ）は自動原稿搬送装置の平面図、（Ｂ）は自動原稿搬送装置の正面図である。
【図３】本発明の実施の形態に係る自動原稿搬送装置を示し、（Ａ）は自動原稿搬送装置の斜視図、（Ｂ）は自動原稿搬送装置の一部を破断した斜視図である。
【図４】本発明の実施の形態に係る自動原稿搬送装置を示し、（Ａ）はＩＣカード挿入状態の自動原稿搬送装置の平面図、（Ｂ）はＩＣカード挿入状態の自動原稿搬送装置の正面図である。
【図５】本発明の実施の形態に係る自動原稿搬送装置を示し、（Ａ）は原稿載置状態の自動原稿搬送装置の平面図、（Ｂ）は原稿載置状態の自動原稿搬送装置の正面図である。
【図６】本発明の実施の形態に係る自動原稿搬送装置を示し、（Ａ）は原稿排紙状態の自動原稿搬送装置の平面図、（Ｂ）は原稿排紙状態の自動原稿搬送装置の正面図、（Ｃ）は原稿排紙状態の自動原稿搬送装置の側面図である。
【図７】本発明の実施の形態に係る自動原稿搬送装置を示し、ＡＤＦを開放した画像形成装置の説明図である。
【図８】本発明の他の実施の形態に係る自動原稿搬送装置を示し、（Ａ）は自動原稿搬送装置の斜視図、（Ｂ）は自動原稿搬送装置の一部を破断した斜視図である。
【発明を実施するための形態】
【００１５】
以下、本発明に係る自動原稿搬送装置の実施の形態について、図面を用いて説明する。
【００１６】
図１は、本発明に係る画像読取装置を備えた画像形成装置の一実施の形態を示す図であり、画像形成装置を電子写真方式の複合機に適用した例を示している。複合機としては、例えば、一般的な静電作像方法を用いて画像を形成するフルカラーの複合機やモノクロ画像を形成する複合機などが挙げられる。また、作像方式としては、電子写真方式以外にも、例えばインクジェット方式等を用いることも可能である。さらに、上述の本発明に係る画像読取装置を備えた画像形成装置は、複合機として構成される他に、ファクシミリ装置、印刷機又は複合機として構成してもよい。
【００１７】
図１に示すように、画像形成装置１は、給紙部２と、画像形成部３と、画像読取部４と、原稿搬送装置としての自動原稿搬送装置（以下、単に「ＡＤＦ」とも称する）５と、から構成されている。また、本実施の形態において、画像読取部４とＡＤＦ５とは、画像読取装置６を構成する。
【００１８】
給紙部２は、サイズの異なるシート状の記録紙Ｐを収納可能とする上下３段の給紙カセット２１Ａ，２１Ｂ，２１Ｃを有している。給紙部２は、給紙カセット２１Ａ，２１Ｂ，２１Ｃに収納された記録媒体としての記録紙Ｐをそれぞれピックアップして給紙する給紙装置２１，２２，２３を有している。給紙部２は、これら給紙装置２１，２２，２３から給紙された記録紙Ｐを画像形成部３の所定の画像形成位置まで搬送する各種ローラ等から形成される給紙経路２４を有している。
【００１９】
画像形成部３は、露光装置３１と、複数の感光体ドラム３２と、シアン（Ｃ）、マゼンタ（Ｍ）、イエロー（Ｙ）、ブラック（Ｋ）の異なる色のトナーが充填された現像装置３３と、転写ベルト３４と、二次転写部３５と、定着部３６とを備えている。
【００２０】
画像形成部３は、例えば、画像読取装置６で読み取った読取画像に基づいて、露光装置３１により各感光体ドラム３２を露光（レーザ光Ｌ）して各感光体ドラム３２に潜像を形成する。これにより、各現像装置３３は、各感光体ドラム３２にそれぞれ異なる色のトナーを供給して現像するようになっている。
【００２１】
そして、画像形成部３は、各感光体ドラム３２に現像された像を転写ベルト３４に一次転写し、二次転写部３５で記録紙Ｐにトナー像を二次転写した後に、定着部３６により記録紙Ｐに二次転写したトナー像を溶融して、記録紙Ｐにカラー画像を定着する。
【００２２】
ところで、詳細な構成は省略するが、画像形成部３は、給紙部２の給紙経路２４に搬送された記録紙Ｐを引き継いでレジスト部３７で同期させた状態で二次転写部３５及び定着部３６を経由し、集積トレイ３８に排紙する搬送経路３９Ａを有する。
【００２３】
また、画像形成部３は、手差トレイ２５に積載した記録紙（図示せず）をレジスト部３７よりも上流側で搬送経路３９Ａに給紙する手差給紙経路３９Ｂを有する。
【００２４】
さらに、画像形成部３は、記録紙Ｐの両面に画像を形成する場合に、表面側の画像定着後の記録紙Ｐを、スイッチバック経路３９Ｃ及び反転経路３９Ｄを経由してレジスト部３７よりも上流側に再給紙するようになっている。
【００２５】
画像読取部４は、光源及びミラー部材を搭載した第１キャリッジ４１と、ミラー部材を搭載した第２キャリッジ４２と、結像レンズ４３と、撮像部４４とを備えている。
【００２６】
画像読取部４は、ＡＤＦ５により搬送される原稿Ｓの表面画像を読取位置で読み取る場合には、第１キャリッジ４１をスリットガラス４５の直下（図１中、符号Ｈで示す位置）に移動し、その読取位置で停止させる。
【００２７】
そして、第１キャリッジ４１は、スリットガラス４５上を通過中の原稿Ｓに向かって光源からの照明光を照射する。スリットガラス４５を透過して原稿Ｓで反射した反射光は、第１キャリッジ４１及び第２キャリッジ４２に搭載された各ミラー部材を経由して結像レンズ４３により撮像部４４に結像して読取画像として読み取らせるようになっている。なお、読取位置Ｒにおいて、原稿Ｓの表面画像は結像レンズ４３に関して撮像部４４と共役である。
【００２８】
一方、突当部材４７に突き当てた状態でプラテンガラス４６上に載置された原稿を読み取る場合には、第１キャリッジ４１及び第２キャリッジ４２を、図１において左右方向（副走査方向）に移動させる。そして、各キャリッジ４１，４２を移動させる過程で、光源により原稿Ｓに光を照射し、各キャリッジ４１，４２に搭載された各ミラー部材により原稿Ｓからの反射光を折り返す。その反射光は、結像レンズ４３により結像して撮像部４４で読み取らせる。
【００２９】
なお、上述した給紙部２、画像形成部３、画像読取部４の各種制御は、図示しない本体制御部によってその駆動等が制御されるが、これらの各種制御は公知の技術を用いているために、ここではその詳細な説明は省略する。
【００３０】
ＡＤＦ５は、原稿載置台としての原稿トレイ５１と、各種ローラ等からなる原稿搬送部５２と、画像読み取り後の原稿Ｓを集積する排出トレイ部５３と、を備えている。
【００３１】
ＡＤＦ５は、原稿トレイ５１に載置された原稿Ｓの原稿束から最上位の原稿Ｓを１枚ずつ分離して原稿搬送部５２によりスリットガラス４５上に搬送する。
【００３２】
そして、ＡＤＦ５は、スリットガラス４５を通過する際に画像読取部４により原稿Ｓの画像を読み取った後、排出トレイ部５３に排紙する。また、ＡＤＦ５は、画像読取部４に対して図示しないヒンジ機構等の開閉機構を介して開閉自在に取り付けられている。
【００３３】
なお、ＡＤＦ５の原稿Ｓの搬送方式や画像の読み取り方式、例えば、原稿Ｓが両面原稿である場合の裏面側の画像の読み取りを、第２の画像読取センサ４８で読み取ってもよいし、スイッチバック機構を設けて原稿Ｓを反転させてもよい。
【００３４】
原稿トレイ５１は、原稿搬送部５２側を原稿Ｓの先端側として、その先端側が下方、その後端側が上方となるように上向き傾斜して配置されている。原稿トレイ５１は、先端側原稿トレイ５１Ａと後端側原稿トレイ５１Ｂとで分割されており、先端側原稿トレイ５１Ａは図示を略す軸を回動中心として原稿Ｓの束厚に応じて先端が下方に傾くようになっている。原稿トレイ５１は、原稿搬送部５２に向かう原稿Ｓの給紙方向と直行する左右方向を位置決めするサイドガイド板５４を有している。
【００３５】
サイドガイド板５４は、原稿トレイ５１と原稿Ｓの幅方向の中心を一致させるように相対的に接近・離間可能な一対のもの、又は、原稿トレイ５１の一方の縁部側に原稿Ｓの一方の縁部を当接させて他方の縁部側のみを移動可能に配置したものの何れでもよい。
【００３６】
原稿搬送部５２は、少なくともその上方を開閉可能としたカバー５５によって覆われている。カバー５５は、原稿Ｓの先端がカバー内部に臨むように給紙口５５ａを有している。カバー５５は、給紙口５５ａよりも内部に先端側原稿トレイ５１Ａの先端が位置するように、先端側原稿トレイ５１Ａの先端の上方を覆っている。原稿搬送部５２は、給紙口５５ａから排出トレイ部５３の上方の排紙口５５ｂに至る範囲をカバー５５等に形成されたリブ５５ｃ（詳細は図示せず）等によって原稿搬送経路５６を形成している。
【００３７】
原稿搬送部５２は、原稿Ｓの原稿搬送方向を基準として給紙口５５ａよりも内側の近傍に配置されたピックアップローラ５７と、原稿搬送経路５６を挟んで対向するように配置された給紙ベルト５８及びリバースローラ５９と、を給紙部として有している。
【００３８】
ピックアップローラ５７は、接触位置において原稿トレイ５１に積載された原稿Ｓのうち、最上位側から数枚（理想的には１枚）の原稿Ｓをピックアップする。
【００３９】
給紙ベルト５８は原稿給送方向に沿って回動移動し、リバースローラ５９は原稿給送方向とは逆方向に回転可能となっている。リバースローラ５９は、複数枚の原稿Ｓが重送されようとした場合に、給紙ベルト５８の回動移動方向に対して逆方向に回転することにより、原稿Ｓの重送を抑制する。
【００４０】
原稿搬送部５２は、スリットガラス４５の上方に対向するように配置して原稿Ｓの画像を読み取らせる第１読取ローラ６０と、排紙口５５ｂよりも上流側直前に配置して原稿Ｓを排紙口５５ｂから排出トレイ部５３に向けて排出する排紙ローラ対６１と、を有する。
【００４１】
排出トレイ部５３は、排紙口５５ｂの下方から排紙方向下流側（図示右側）に向かって上向き傾斜している。また、排出トレイ部５３には、この上向き傾斜した部分とは別に、平坦なトレイ面５３ａを有している。
【００４２】
この平坦なトレイ面５３ａは、画像形成装置１の正面側、すなわち、使用者が操作のために対峙する側に形成されている。これにより、使用者は、上向き傾斜した排出トレイ部５３とトレイ面５３ａとの段差によって集積した原稿Ｓとの間に隙間を形成することができ、この隙間に手を差し込むことで原稿Ｓの回収を容易に行うことができる。
【００４３】
図２及び図３に示すように、排出トレイ部５３のうち、トレイ面５３ａの排紙方向下流端付近の裏面にはカード読取装置６２が配置されている。排出トレイ部５３は、トレイ面５３ａを挟んでカード読取装置６２と対向するトレイ面５３ａ側であって画像読み取り後の原稿Ｓの排紙方向上流側に開口するカード挿入用スリット６３と、カード挿入用スリット６３よりも下方に配置してカード挿入用スリット６３に少なくともＩＣカード６４の一部を挿入可能とするカード読取面６５と、を有する。
【００４４】
カード読取装置６２は、ここではＩＣカード６４の読み取り及び書き込みが可能となっている。ＩＣカード６４には、例えば、社員番号等の管理番号が記憶されている。カード読取装置６２は、ＩＣカード６４から読み取った管理番号を図示しない管理サーバに予め記憶した管理番号とで照合し、その結果に応じた機能の許可・不許可等を実行する。
【００４５】
例えば、ＩＣカード６４の所有者が、画像の読み取りは許可、複写・印刷に関してはモノクロのみ許可、カラーは不許可、となっているなどの利用制限を設定することができる。また、このような管理番号は、ＡＤＦ５により読み取った画像データの保管場所（管理サーバのハードディスク等）への振り分け・アクセス制限・読み取り年月日・読み取り枚数・保存形式（ＰＤＦやＢＭＰ等）を管理するために用いることも可能である。
【００４６】
カード挿入用スリット６３は、本実施の形態では、ＩＣカード６４の１つの角部を含む一部が挿入可能となっている。排出トレイ部５３は、ＩＣカード６４の角部を形成する隣りあった２辺を支持する壁面５３ｂ，５３ｃと、この壁面５３ｂ，５３ｃ間に跨ってＩＣカード６４の角部がＡＤＦ５の裏面側に入り込むように傾斜した傾斜壁面５３ｄと、を有している。
【００４７】
これら各壁面５３ｂ，５３ｃ，５３ｄは、トレイ面５３ａよりもカード読取面６５が下方に位置するように段差を形成している。これにより、カード読取面６５は、原稿排紙方向下流端縁と正面端縁の２辺を開放している。
【００４８】
また、カード挿入用スリット６３はその段差を構成する壁面５３ｂ，５３ｃ，５３ｄのうち、原稿Ｓの排紙方向と交差する壁面５３ｂ，５３ｄに形成されている。これにより、カード挿入用スリット６３は、カード読取面６５の上側において原稿Ｓの排紙方向上流側を開口させることができる。この際、カード挿入用スリット６３の開口下縁とカード読取面６５との間には段差がないように設定するのが望ましい。
【００４９】
すなわち、ＩＣカード６４をカード挿入用スリット６３に挿入するためにカード読取面６５をガイド面とした際に、ＩＣカード６４が引っ掛かることなく、カード挿入用スリット６３に挿入することができる。一方、壁面５３ｃは、カード挿入用スリット６３が形成されていない単なる段差を形成している。また、カード挿入用スリット６３の開口高さは、ＩＣカード６４の厚さと同じかそれ以上としている。
【００５０】
上記の構成において、ＩＣカード６４は、その一つの角部がカード挿入用スリット６３に挿入される。この際、ＩＣカード６４は、図４に示すように、その角部を構成する隣りあった２辺のうちに一辺を壁面５３ｂに突き当て、他の一辺を壁面５３ｃに突き当てることで位置決めされる。
【００５１】
この際、図５に示すように、原稿トレイ５１に原稿Ｓを載置した際に、少なくともその一部が原稿Ｓからはみ出すようにするのが望ましい。これにより、使用者は、ＩＣカード６４の取り忘れを抑制することができる。
【００５２】
また、トレイ面５３ａが排出トレイ部５３の上向き傾斜に対して平坦となっており、しかも、カード読取面６５が壁面５３ｂ〜５３ｄによってさらに段差を有している。これにより、例えば、図６に示すように、読み取り後の原稿Ｓは、主として上向き傾斜した排出トレイ部５３に集積され、その一部がトレイ面５３ａに跨るように集積される。
【００５３】
この際、図６に示すように、原稿Ｓの排紙方向下流端（図６の図示右側）がカード挿入用スリット６３を形成した壁面５３ｂ，５３ｃよりも下流側、すなわち重なるように排紙されても、ＩＣカード６４が原稿Ｓに引っ掛かることが抑制される。
【００５４】
また、ＡＤＦ５は、図７に示すように、ヒンジ７０を回動支点として開閉可能となっており、開放状態としたときにはプラテンガラス４６に原稿を載置することができるようになっている。
【００５５】
この際、ＩＣカード６４は、カード挿入用スリット６３に挿入した角部を構成する隣りあった２辺のうち、ＡＤＦカバー５５を開放したときの底面となる側に壁面５３ｃを位置させることができ、ＩＣカード６４の自然落下による脱落を阻止することができる。
【００５６】
ところで、上記実施の形態では、カード挿入用スリット６３は、カード挿入用スリット６３の開口高さをＩＣカード６４の厚さと同じかそれ以上としていたが、これに限定されるものではない。例えば、図８に示すように、カード挿入用スリット６３の一部に、カード厚さ方向の開口高さがカード挿入用スリット６３にカードを挿入する前の状態においてＩＣカード６４の厚さ以下とする弾性抵抗爪５３ｅを形成してもよい。
【００５７】
この弾性抵抗爪５３ｅは、カード挿入用スリット６３を形成したことによるトレイ面５３ａの塑性そのものによる弾性変形となっている。すなわち、ＩＣカード６４をカード挿入用スリット６３に挿入した際に、ＩＣカード６４の厚さによって壁面５３ｃに撓みが発生するものである。また、トレイ面５３ａ又は壁面５３ｃにゴム等の別材料の弾性抵抗爪５３ｅを接着等で固定したものでもよい。さらに、図８では弾性抵抗爪５３ｅの先端を下向きとしているが、先端を上向きとしてもよいし、その数も限定されるものではない。
【００５８】
このように、本発明の自動原稿搬送装置は、画像読取部４の上面に開閉可能に設置し、画像読取部４に向けて原稿Ｓを搬送する原稿搬送部５２と、画像読取部４で画像を読み取った後の原稿Ｓを排出する排出トレイ部５３と、を備えた自動原稿搬送装置５であって、排出トレイ部５３の裏面に設置したカード読取装置６２と、排出トレイ部５３を挟んでカード読取装置６２と対向する原稿集積面側であって画像読み取り後の原稿Ｓの排紙方向上流側に開口するカード挿入用スリット６３と、カード挿入用スリット６３よりも下方に配置してカード挿入用スリット６３に少なくともＩＣカード６４の一部を挿入可能とするカード読取面６５と、を有することにより、使用中におけるカードの常時読み取りを可能としつつ、カードの脱落や排出原稿との接触を抑制することができる。
【００５９】
以上説明したように、本発明に係る自動原稿搬送装置及び画像形成装置は、使用中におけるカードの常時読み取りを可能としつつ、カードの脱落や排出原稿との接触を抑制することができるという効果を有し、原稿読取装置（ＡＤＦ）及びＡＤＦを備えた画像形成装置全般にも有用である。
【符号の説明】
【００６０】
１  画像形成装置
５  自動原稿搬送装置（ＡＤＦ）
４  画像読取部
５２  原稿搬送部
５３  排出トレイ部
６２  カード読取装置
６３  カード挿入用スリット
６４  ＩＣカード
６５  カード読取面
【先行技術文献】
【特許文献】
【００６１】
【特許文献１】特開２０１０−２５００３８号公報
【図１】
2015115798.tif 000003
【図２】
2015115798.tif 000004
【図３】
2015115798.tif 000005
【図４】
2015115798.tif 000006
【図５】
2015115798.tif 000007
【図６】
2015115798.tif 000008
【図７】
2015115798.tif 000009
【図８】
2015115798.tif 000010